(57)【要約】【課題】洋傘のネームの係止操作を容易にし、傘地の折り畳み状態が正常でなくても使用することができるようにすることである。【解決手段】中棒２の先端から放射状に配列された親骨３の外面に傘地４を張設し、下ろくろ５と親骨３を受骨６で連結し、下ろくろ５の上下動によって受骨６を介して親骨３と共に傘地４を折り畳み可能にした洋傘１において、前記傘地４の周辺近辺に、ボタン１１とゴム紐１２から成るネーム１０を取り付け、前記ゴム紐１２をループ状に折り曲げて両端部をボタン１１に連結し、傘地４を折り畳んだ状態でループ状ゴム紐１２を筒状傘地４の外周に巻回してループ状先端をボタン１１に係止し、筒状傘地４をその状態に保持できるようにしたのである。【選択図】図１
0003182378.tif 000002
【実用新案登録請求の範囲】
【請求項１】
中棒の先端部に対して放射状に配列した親骨の外面に傘地を張設し、中棒に沿ってスライド可能に取り付けた下ろくろと前記親骨とを受骨で連結し、下ろくろの上下動によって前記受骨を介して親骨と共に傘地を開閉可能とし、前記親骨と共に傘地を閉じて折り畳んだ際に傘地を結束するネームを傘地に取り付けた洋傘において、前記ネームは、ループ状に折り返した連続する１条のゴム紐と、このゴム紐の両端部に取り付けたボタンより成り、前記折り畳んだ傘地を結束するために傘地の周囲にループ状になった２条のゴム紐を巻回し、ループ状ゴム紐の先端を前記ボタンに係止するようにし、前記ループ状ゴム紐は、傘地に連結した両端からボタンに係止するループ状先端までが、折り畳んだ傘地に圧接して筒状に保持できる長さに設定されていることを特徴とする洋傘。
【請求項２】
前記中棒は伸縮自在であって、前記親骨は中途部分で折り曲げ可能になっており、前記中棒を短縮しかつ親骨の折り曲げと共に前記傘地を閉じて折り畳み可能になっており、前記ループ状ゴム紐を有するネームが傘地の内面に取り付けられた請求項１に記載の洋傘。
【請求項３】
前記ゴム紐は短径が約２ｍｍ〜約４ｍｍのほぼ円形、楕円形、長円形または多角形のいずれかの断面を有し、表面が繊維で被覆された請求項１または２に記載の洋傘。
【請求項４】
前記ボタンは平面形状がほぼ円形、楕円形、長円形または多角形のいずれかであって、その短径が約１５ｍｍ〜約２５ｍｍである請求項１〜３のいずれかに記載の洋傘。
【請求項５】
前記ゴム紐の一端部を前記ボタンの裏穴に挿通し、他端部と共に結び目を形成して裏穴からの抜け止めとし、裏穴の両側においてゴム紐の両端部を結束してゴム紐とボタンを連結し、ボタンの裏穴を付着片に縫着してゴム紐とボタン及び付着片から成るネームアセンブリを形成し、前記付着片を傘地に縫着するようにした請求項１〜４のいずれかに記載の洋傘。
【請求項６】
前記ループ状ゴム紐を１条の輪状に拡げて、閉じた傘地の周囲を包囲可能とした請求項２に記載の洋傘。
【考案の詳細な説明】
【技術分野】
【０００１】
この考案は、折り畳んだ傘地をほぼ一挙動で簡単に結束できるようにした洋傘に関する。
【背景技術】
【０００２】
洋傘の傘地を折り畳んだ後、傘地を結束するために止め紐（以下ネームと言う）が取り付けられている。このネームは通常、布またはプラスチック製のストリップから成り、その先端を係止するため、スナップボタンや面ファスナ、ボタンと係止スリットなどが用いられる。これらのうち、スナップボタンは係止位置が一点に定まっているため、位置合せを正確に行なわないと完全に固定できず、また乱雑に傘地を折り畳むと胴膨れしてネームの長さが足りず先端の係止ボタンが係止突起に届かないことがある。その点面ファスナを用いると、多少の長さ調整は可能である。しかしながら、ファスナの係止面に垂直方向の係止力は強いが、平行方向には弱いため係合が外れ易く、特に雨水に晒された場合その傾向が強く、また劣化も速い。
【０００３】
ボタンと係止スリットを用いる係止手段には、例えばネームの先端部にスリットを設け、ネームの固定端にボタンを取り付けたものやスリットに換えて金属リングを取り付けたものなどがある。いずれも長さ調整が不可能である点に変りはない。また、指先でボタンをスリットに係止するのに手間どる問題がある。ボタンにネームを引掛け易くするため、ネームの紐全体をループ状にしたものもあるが長さ調整の問題や外れ易さなどの問題がある。
【０００４】
ネームの長さ調整を可能にするため、特許文献１には、弾性帯で止め紐を形成することが提案されている。しかしながら、この止め紐は一枚の帯状であって巻き締める横幅が限定され、傘地（傘布）の折り畳み状態が正常に折り畳まれていないと使用できない問題がある。
【先行技術文献】
【特許文献】
【０００５】
【特許文献１】実開平５−８６２２０号公報
【考案の概要】
【考案が解決しようとする課題】
【０００６】
そこで、この考案の課題は、ネームの長さ方向に伸縮可能で係止操作が容易であり、締め付け幅も調整することができ、傘地の折り畳み状態が正常でなくても使用することができるようにすることである。
【課題を解決するための手段】
【０００７】
上記の課題を解決するために、この考案は、中棒の先端部に対して放射状に配列した親骨の外面に傘地を張設し、中棒に沿ってスライド可能に取り付けた下ろくろと前記親骨とを受骨で連結し、下ろくろの上下動によって前記受骨を介して親骨と共に傘地を開閉可能とし、前記親骨と共に傘地を閉じて折り畳んだ際に傘地を結束するネームを傘地に取り付けた洋傘において、前記ネームは、ループ状に折り返した連続する１条のゴム紐と、このゴム紐の両端部に取り付けたボタンより成り、前記折り畳んだ傘地を結束するために傘地の周囲にループ状になった２条のゴム紐を巻回し、ループ状ゴム紐の先端を前記ボタンに係止するようにし、前記ゴム紐は、傘地に取り付けた両端からボタンに係止する先端までが、折り畳んだ傘地に圧接して筒状に保持できる長さに設定されていることを特徴とする。
【０００８】
前記洋傘は折畳み傘であってもよい。前記ゴム紐は断面がほぼ円形、楕円形、長円形または多角形のいずれかであって、その短径が約２ｍｍ〜約４ｍｍで好ましくは表面が繊維によって被覆されたものがよい。また前記ボタンの平面形状がほぼ円形、楕円形、長円形または多角形のいずれかであって、その短径が約１５ｍｍ〜約２５ｍｍが好ましい。そしてゴム紐をボタンに挿通して連結し、ボタンを付着片に縫着したネームアセンブリを形成しておくのがよい。
【０００９】
なお、上記のようなネームは、そのループ状ゴム紐を輪状に拡げて閉じた傘地の周囲を包囲するように用いることができる。
【考案の効果】
【００１０】
この考案によれば、以上のように、ループ状ゴム紐とボタンによってネームを形成したのでゴム紐をほぼ一挙動でボタンに係止することによって傘地を筒状に保持することができ、また場合によっては傘地を丁寧に折り畳まずにゴム紐で包囲して傘地を保持することもできるので使い勝手がよい。
【図面の簡単な説明】
【００１１】
【図１】この考案に係る洋傘の一実施形態を示す斜視図、
【図２】洋傘のネーム部を示す拡大側面図、
【図３】同上の底面図、
【図４】折畳み傘を折り畳んだ状態を示す正面図、
【図５】折畳み傘を乱雑に閉めた状態を示す正面図、
【図６】（Ａ）はネーム部のゴム紐を結んだ状態を示す斜視図、（Ｂ）はゴム紐を結んでボタンに引掛けた状態を示す斜視図である。
【考案を実施するための形態】
【００１２】
以下、この考案の実施形態を添付図面に基づいて説明する。図１以下は洋傘のうちの折畳み傘を示す。図１に示すように、折畳み傘１は、伸縮可能の中棒２と、その先端部の上ろくろに放射方向に軸支された親骨３と、親骨３に張設された傘地４と、中棒２に沿ってスライド可能に取り付けられた下ろくろ５と、この下ろくろ５と親骨３との間を接続する受骨６と、前記中棒２の下端に固定された把手７より成り、下ろくろ５を上下動することによって受骨６を介して親骨３が開閉し、従って傘地４が開閉するようになっている。また、親骨３はその途中部分のヒンジ３ａで外側方向に折れ曲るようになっており、傘地４を折り畳みかつ中棒２を縮少することによって傘全体を小さく折り畳むことができるようになっている。なお符号８は把手７に取り付けられた携げ紐である。
【００１３】
前記傘地４の周縁からやや内側内面にネーム１０が取り付けられている。このネーム１０は、図２及び図３に示すように、足付きボタン１１と、このボタン１１に一端が取り付けられてループ状に延びる伸縮自在のゴム紐１２より成る。前記ボタン１１は比較的大きめの方がよく、平面形状は図示のようなほぼ円形のほか、楕円形、長円形、多角形等でもよい。その大きさは径Ｄ（楕円や長円の場合は短径）が約１５ｍｍ〜約２５ｍｍ程度が好ましい。前記ゴム紐１２は伸縮自在であれば材料は何でもよいが、断面がほぼ円形、楕円形、長円形または多角形で径（短径）が約２ｍｍ〜約４ｍｍ程度の比較的太く、芯材が合成または天然ゴムで表面を繊維で被覆したもの、或はスパンデックスなどの伸縮糸を紐状に編成したパワーの大きなものが好ましい。このようなゴム紐１２を直接傘地４に固着するのは難しい。そこで図示のように長いゴム紐１２の一端部を裏穴１１ａに挿通し、ループ状に折り返した他端部を一端部に集合して２条にしたゴム紐を一重結び（ひとえ結び）にして結節１２ａを形成すると、裏穴１１ａから抜け出さない。さらに、ループ状ゴム紐１２が裏穴１１ａに沿って長さ方向にずれ動くのを防止するため、２条のゴム紐を裏穴１１ａの両側で糸によって巻回し結束部１２ｂ、１２ｂを形成しておくのがよい。
【００１４】
上記のようにしてボタン１１にゴム紐１２をループ状に接続し、ボタン１１の裏穴１１ａを直接傘地４に糸で縫着してもよいが、ゴム紐１２を挿通した裏穴１１ａは狭くなっているため、縫着作業が容易でない。そこで、図２に示すような布製の付着片１３を予め裏穴１１ａに糸１１ｂで連結しておき、この付着片１３を傘地４に縫糸１３ａで縫着すれば作業が容易になる。即ちボタン１１とゴム紐１２及び付着片１３から成るアセンブリを予め作製しておけば傘の組立作業性が向上する。
【００１５】
図４は、折畳み傘１の傘地４を正常に折り畳み、折り曲げた親骨３の周囲に傘地４を巻き付けて形成した胴部にループ状ゴム紐１２を巻回し、ボタン１１に引掛けて傘地４が拡散しないように保持した状態を示している。このとき、ゴム紐１２が伸長して丁度傘地４を少し圧迫する程度に、ループ状ゴム紐１２がボタン１１に接続された基端からループをボタン１１に引掛ける先端までの長さを予め設定しておく。また、ループを形成する２条のゴム紐１２の間隔Ｗを手指で適当に調整すると、ゴム紐１２を止着した状態で傘地４の体裁を整えることができる。
【００１６】
ところで、折畳み傘をコンパクトに折り畳んで収納する場合、まず、中棒２を収縮し、次いで親骨３を外側に折り曲げ、隣接する親骨間の傘地４を一区間ずつ丁寧に折り畳み、全ての区間を折り畳んだ後に、各区間の折り畳み片を順次収縮させた親骨３の上に円筒状に巻き付けていくという極めて面倒な操作が必要である。そこで、例えば雨中から一時的に屋内に入る場合などに、図５に示すように、中棒２を収縮して親骨３の露先を把手７で保持した状態で傘地４を折り畳まず親骨３の周囲に寄せ集め、ループ状ゴム紐１２を拡げて鎖線のように一条の輪状にし、寄せ集めて胴膨れしたままの傘地４の周囲を包囲すると、乱雑ではあるが傘地４を仮に保持することができるので非常に便利である。
【００１７】
また、傘を開いて使用中に、ネーム１０が垂れ下って不格好に見えると思われる場合には、図６（Ａ）に示すように、ゴム紐１２を一重結びにすれば短くなるので垂れ下ることがない。また図６（Ｂ）のように、一重結びの輪状部をボタン１１の周囲に巻き付けるようにすると、さらにゴム紐１２をコンパクトに収納することができる。
【００１８】
以上の実施形態は折畳み傘を例にとったが、この考案は折畳み傘だけでなく通常の洋傘にも適用することができる。
【符号の説明】
【００１９】
１  折り畳み傘
２  中棒
３  親骨
３ａ  ヒンジ
４  傘地
５  下ろくろ
６  受骨
７  把手
８  携げ紐
１０  ネーム
１１  ボタン
１１ａ  裏穴
１２  ゴム紐
１２ａ  結節
１２ｂ  結束部
１３  付着片
１３ａ  縫糸
Ｄ  ボタンの直径
Ｗ  ゴム紐の間隔
【図１】
0003182378.tif 000003
【図２】
0003182378.tif 000004
【図３】
0003182378.tif 000005
【図４】
0003182378.tif 000006
【図５】
0003182378.tif 000007
【図６】
0003182378.tif 000008